(57)【特許請求の範囲】
【請求項１】
第１および第２の無線アクセス技術（ＲＡＴ）を介して通信することが可能なマルチモード移動局（ＭＳ）によりネットワークにアクセスする方法において、
第１の基地局との接続を確立して、前記第１のＲＡＴを介して前記ネットワークにアクセスすることと、
並行サービス捕捉データベースの記録にアクセスして、前記第１の基地局についての情報に基づいて、前記第２のＲＡＴを介して前記ネットワークへのアクセスを提供する第２の基地局についての情報を取得することと、
前記取得した情報を使用して、前記第２の基地局との接続を確立しようと試行することとを含み、
前記記録は、前記第１の基地局と第２の基地局とにより提供される並行サービスを示す方法。
【請求項２】
前記第１の基地局についての情報は、前記第１の基地局のグローバルポジショニングシステム（ＧＰＳ）座標、前記第２の基地局のＧＰＳ座標、または、前記第１および第２の基地局により提供されるネットワークサービスによってカバーされるロケーションのＧＰＳ座標を含む請求項１記載の方法。
【請求項３】
前記並行サービス捕捉データベースの記録にアクセスすることは、前記記録が更新された最終時間を示す、前記記録中のタイムスタンプを調べることを含む請求項１記載の方法。
【請求項４】
前記記録中で取得した情報を使用して前記第２の基地局との前記接続の確立が成功したことを示すために、前記タイムスタンプを更新することをさらに含む請求項３記載の方法。
【請求項５】
前記第２のＲＡＴを介してネットワークサービスを提供する未知の基地局に対してスキャニングすることと、
前記第１の基地局についての情報を持つ前記並行サービス捕捉データベースに対して、前記未知の基地局についての情報を加えることとをさらに含む請求項１記載の方法。
【請求項６】
前記並行サービス捕捉データベースの記録にアクセスして、前記第１の基地局または前記第２の基地局についての情報に基づいて、第３のＲＡＴを介して前記ネットワークへのアクセスを提供する第３の基地局についての情報を取得することと、
前記取得した情報を使用して、前記第３の基地局との接続を確立しようと試行することとをさらに含み、
前記マルチモードＭＳは、前記第１、第２、および第３のＲＡＴを介して通信することが可能である請求項１記載の方法。
【請求項７】
前記第１のＲＡＴは、ＣＤＭＡ（コード分割多元接続）ベースのＲＡＴを含む請求項１記載の方法。
【請求項８】
前記第２のＲＡＴは、ＷｉＭＡＸ（ワールドワイドインターオペラビリティフォーマイクロウェーブアクセス）準拠のＲＡＴを含む請求項７記載の方法。
【請求項９】
第１および第２の無線アクセス技術（ＲＡＴ）を介して通信することが可能なマルチモード移動局（ＭＳ）によりネットワークにアクセスするための、その上に命令を記憶させているコンピュータ読取可能記憶媒体において、
前記命令は、１つ以上のプロセッサにより実行可能であり、
前記命令は、
第１の基地局との接続を確立して、前記第１のＲＡＴを介して前記ネットワークにアクセスするための命令と、
並行サービス捕捉データベースの記録にアクセスして、前記第１の基地局についての情報に基づいて、前記第２のＲＡＴを介して前記ネットワークへのアクセスを提供する第２の基地局についての情報を取得するための命令と、
前記取得した情報を使用して、前記第２の基地局との接続を確立しようと試行するための命令とを含み、
前記記録は、前記第１の基地局と第２の基地局とにより提供される並行サービスを示すコンピュータ読取可能記憶媒体。
【請求項１０】
前記第１の基地局についての情報は、前記第１の基地局のグローバルポジショニングシステム（ＧＰＳ）座標、前記第２の基地局のＧＰＳ座標、または、前記第１および第２の基地局により提供されるネットワークサービスによってカバーされるロケーションのＧＰＳ座標を含む請求項９記載のコンピュータ読取可能記憶媒体。
【請求項１１】
前記並行サービス捕捉データベースの記録にアクセスするための命令は、
前記記録が更新された最終時間を示す、前記記録中のタイムスタンプを調べるための命令をさらに含む請求項９記載のコンピュータ読取可能記憶媒体。
【請求項１２】
前記記録中で取得した情報を使用して前記第２の基地局との前記接続の確立が成功したことを示すために、前記タイムスタンプを更新するための命令をさらに含む請求項１１記載のコンピュータ読取可能記憶媒体。
【請求項１３】
前記第２のＲＡＴを介してネットワークサービスを提供する未知の基地局に対してスキャニングするための命令と、
前記第１の基地局についての情報を持つ前記並行サービス捕捉データベースに対して、前記未知の基地局についての情報を加えるための命令とをさらに含む請求項９記載のコンピュータ読取可能記憶媒体。
【請求項１４】
前記並行サービス捕捉データベースの記録にアクセスして、前記第１の基地局または前記第２の基地局についての情報に基づいて、第３のＲＡＴを介して前記ネットワークへのアクセスを提供する第３の基地局についての情報を取得するための命令と、
前記取得した情報を使用して、前記第３の基地局との接続を確立しようと試行するための命令とをさらに含み、
前記マルチモードＭＳは、前記第１、第２、および第３のＲＡＴを介して通信することが可能である請求項９記載のコンピュータ読取可能記憶媒体。
【請求項１５】
前記第１のＲＡＴは、ＣＤＭＡ（コード分割多元接続）ベースのＲＡＴを含む請求項９記載のコンピュータ読取可能記憶媒体。
【請求項１６】
前記第２のＲＡＴは、ＷｉＭＡＸ（ワールドワイドインターオペラビリティフォーマイクロウェーブアクセス）準拠のＲＡＴを含む請求項１５記載のコンピュータ読取可能記憶媒体。
【請求項１７】
第１および第２の無線アクセス技術（ＲＡＴ）を介して通信することが可能であり、ネットワークにアクセスする装置において、
第１の基地局との接続を確立して、前記第１のＲＡＴを介して前記ネットワークにアクセスする手段と、
並行サービス捕捉データベースの記録にアクセスして、前記第１の基地局についての情報に基づいて、前記第２のＲＡＴを介して前記ネットワークへのアクセスを提供する第２の基地局についての情報を取得する手段と、
前記取得した情報を使用して、前記第２の基地局との接続を確立しようと試行する手段とを具備し、
前記記録は、前記第１の基地局と第２の基地局とにより提供される並行サービスを示す装置。
【請求項１８】
前記第１の基地局についての情報は、前記第１の基地局のグローバルポジショニングシステム（ＧＰＳ）座標、前記第２の基地局のＧＰＳ座標、または、前記第１および第２の基地局により提供されるネットワークサービスによってカバーされるロケーションのＧＰＳ座標を含む請求項１７記載の装置。
【請求項１９】
前記並行サービス捕捉データベースの記録にアクセスする手段は、
前記記録が更新された最終時間を示す、前記記録中のタイムスタンプを調べる手段をさらに備える請求項１７記載の装置。
【請求項２０】
前記記録中で取得した情報を使用して前記第２の基地局との前記接続の確立が成功したことを示すために、前記タイムスタンプを更新する手段をさらに具備する請求項１９記載の装置。
【請求項２１】
前記第２のＲＡＴを介してネットワークサービスを提供する未知の基地局に対してスキャニングする手段と、
前記第１の基地局についての情報を持つ前記並行サービス捕捉データベースに対して、前記未知の基地局についての情報を加える手段とをさらに具備する請求項１７記載の装置。
【請求項２２】
前記並行サービス捕捉データベースの記録にアクセスして、前記第１の基地局または前記第２の基地局についての情報に基づいて、第３のＲＡＴを介して前記ネットワークへのアクセスを提供する第３の基地局についての情報を取得する手段と、
前記取得した情報を使用して、前記第３の基地局との接続を確立しようと試行する手段とをさらに具備し、
前記装置は、前記第１、第２、および第３のＲＡＴを介して通信することが可能である請求項１７記載の装置。
【請求項２３】
前記第１のＲＡＴは、ＣＤＭＡ（コード分割多元接続）ベースのＲＡＴを含む請求項１７記載の装置。
【請求項２４】
前記第２のＲＡＴは、ＷｉＭＡＸ（ワールドワイドインターオペラビリティフォーマイクロウェーブアクセス）準拠のＲＡＴを含む請求項２３記載の装置。
【請求項２５】
第１および第２の無線アクセス技術（ＲＡＴ）を介して通信することが可能であり、ネットワークにアクセスするマルチモード移動体デバイスにおいて、
第１の基地局との接続を確立して、前記第１のＲＡＴを介して前記ネットワークにアクセスし、
並行サービス捕捉データベースの記録にアクセスして、前記第１の基地局についての情報に基づいて、前記第２のＲＡＴを介して前記ネットワークへのアクセスを提供する第２の基地局についての情報を取得し、
前記取得した情報を使用して、前記第２の基地局との接続を確立しようと試行するように構成されている少なくとも１つのプロセッサと、
前記少なくとも１つのプロセッサに結合されているメモリとを具備し、
前記記録は、前記第１の基地局と第２の基地局とにより提供される並行サービスを示すマルチモード移動体デバイス。
【請求項２６】
前記第１の基地局についての情報は、前記第１の基地局のグローバルポジショニングシステム（ＧＰＳ）座標、前記第２の基地局のＧＰＳ座標、または、前記第１および第２の基地局により提供されるネットワークサービスによってカバーされるロケーションのＧＰＳ座標を含む請求項２５記載の移動体デバイス。
【請求項２７】
前記少なくとも１つのプロセッサは、前記記録が更新された最終時間を示す、前記記録中のタイムスタンプを調べるようにさらに構成されている請求項２５記載の移動体デバイス。
【請求項２８】
前記少なくとも１つのプロセッサは、前記記録中で取得した情報を使用して前記第２の基地局との前記接続の確立が成功したことを示すために、前記タイムスタンプを更新するようにさらに構成されている請求項２７記載の移動体デバイス。
【請求項２９】
前記少なくとも１つのプロセッサは、
前記第２のＲＡＴを介してネットワークサービスを提供する未知の基地局に対してスキャニングし、
前記第１の基地局についての情報を持つ前記並行サービス捕捉データベースに対して、前記未知の基地局についての情報を加えるようにさらに構成されている請求項２５記載の移動体デバイス。
【請求項３０】
前記少なくとも１つのプロセッサは、
前記並行サービス捕捉データベースの記録にアクセスして、前記第１の基地局または前記第２の基地局についての情報に基づいて、第３のＲＡＴを介して前記ネットワークへのアクセスを提供する第３の基地局についての情報を取得するようにさらに構成されており、
前記マルチモード移動体デバイスは、前記第１、第２、および第３のＲＡＴを介して通信することが可能であり、
前記少なくとも１つのプロセッサは、前記第３の基地局についての前記取得した情報を使用して、前記第３の基地局との接続を確立しようと試行するようにさらに構成されている請求項２５記載の移動体デバイス。
【請求項３１】
前記第１のＲＡＴは、ＣＤＭＡ（コード分割多元接続）ベースのＲＡＴを含む請求項２５記載の移動体デバイス。
【請求項３２】
前記第２のＲＡＴは、ＷｉＭＡＸ（ワールドワイドインターオペラビリティフォーマイクロウェーブアクセス）準拠のＲＡＴを含む請求項３１記載の移動体デバイス。
【発明の詳細な説明】
【技術分野】
【０００１】
本開示のある実施形態は、一般的に、ワイヤレス通信に関し、さらに詳細には、ネットワークトポロジー情報に基づいて、２つ以上の異なるネットワークサービスへのマルチモード移動局（ＭＳ）の複数の接続を確立することに関する。
【背景】
【０００２】
ＩＥＥＥ８０２．１６の下での、直交周波数分割多重化（ＯＦＤＭ）および直交周波数分割多元接続（ＯＦＤＭＡ）のワイヤレス通信システムは、基地局のネットワークを使用して、複数の副搬送波の周波数の直交性に基づいて、システム中のサービスに登録しているワイヤレスデバイス（すなわち、移動局）と通信し、マルチパスフェージングおよび干渉に対する耐性のような、ワイドバンドワイヤレス通信に対する多数の技術的な利点を達成するように実現することができる。それぞれの基地局（ＢＳ）は、移動局へのデータおよび移動局からのデータを伝える無線周波数（ＲＦ）信号を放出および受信する。
【０００３】
一般的に、ほとんどの移動局に対して、バッテリーが電力を提供するので、ＭＳの設計エンジニアにとって、電力消費は懸念事項である。典型的に、多くの無線アクセス技術（ＲＡＴ）に対して、バッテリー電力をセーブするための低い電力のスタンバイモードが存在する。マルチモードワイヤレスデバイスに関しては、複数のネットワークサービスに同時にデバイスを登録してもよい。例えば、（音声通話およびテキストメッセージに対する）３Ｇネットワークと、（高速インターネットアクセスに対する）ＷｉＭＡＸネットワークとの双方に同時にスマートフォンを登録してもよい。確実に通信を継続するためにマルチモードデバイスが担当ＢＳに報告することを、３ＧネットワークおよびＷｉＭＡＸネットワークの双方が一般的に要望する。スタンバイモードの間でさえ、周期的な登録が必要とされることがあり、双方のネットワークサービスに登録したままであることは、電力を消費する。
【概要】
【０００４】
ある無線アクセス技術（ＲＡＴ）ネットワークからのネットワークトポロジーおよびカバレッジ情報を使用して、マルチモード移動局（ＭＳ）に対する別の異なるＲＡＴネットワークの捕捉を支援する方法および装置、例えば、３Ｇ（第３世代）ネットワークについてのトポロジーおよびカバレッジ情報に基づいて、ＷｉＭＡＸ（ワールドワイドインターオペラビリティフォーマイクロウェーブアクセス）ネットワークを捕捉し、および逆もまた同じである方法および装置が提供されている。この方法で支援される基地局（ＢＳ）捕捉は、以前に中断した、または、停止したネットワークサービスの迅速な復旧を提供することができる一方で、周期的なスキャニングおよび登録が生じる必要がないので、電力セービングモードの間、マルチモードＭＳの電力消費を減少させる。  本開示のある実施形態は、少なくとも第１および第２のＲＡＴを介して通信することが可能なマルチモードＭＳによりネットワークにアクセスする方法を提供する。方法は、一般的に、第１の基地局との接続を確立して、第１のＲＡＴを介してネットワークにアクセスすることと、並行サービス捕捉データベースにアクセスして、第１の基地局についての情報に基づいて、第２のＲＡＴを介してネットワークへのアクセスを提供する少なくとも第２の基地局についての情報を取得することと、取得した情報を使用して、第２の基地局との接続を確立しようと試行することとを含んでいる。
【０００５】
本開示のある実施形態は、少なくとも第１および第２のＲＡＴを介して通信することが可能なマルチモードＭＳによりネットワークにアクセスするためのコンピュータプログラムプロダクトを提供する。コンピュータプログラムプロダクトは、典型的に、その上に命令を記憶させているコンピュータ読取可能媒体を備え、命令は、１つ以上のプロセッサにより実行可能である。命令は、一般的に、第１の基地局との接続を確立して、第１のＲＡＴを介してネットワークにアクセスするための命令と、並行サービス捕捉データベースにアクセスして、第１の基地局についての情報に基づいて、第２のＲＡＴを介してネットワークへのアクセスを提供する少なくとも第２の基地局についての情報を取得するための命令と、取得した情報を使用して、第２の基地局との接続を確立しようと試行するための命令とを含んでいる。
【０００６】
本開示のある実施形態は、少なくとも第１および第２のＲＡＴを介して通信することが可能であり、ネットワークにアクセスする装置を提供する。装置は、一般的に、第１の基地局との接続を確立して、第１のＲＡＴを介してネットワークにアクセスする手段と、並行サービス捕捉データベースにアクセスして、第１の基地局についての情報に基づいて、第２のＲＡＴを介してネットワークへのアクセスを提供する少なくとも第２の基地局についての情報を取得する手段と、取得した情報を使用して、第２の基地局との接続を確立しようと試行する手段とを備えている。
【０００７】
本開示のある実施形態は、少なくとも第１および第２のＲＡＴを介して通信することが可能であり、ネットワークにアクセスするマルチモード移動体デバイスを提供する。移動体デバイスは、一般的に、第１の基地局との接続を確立して、第１のＲＡＴを介してネットワークにアクセスするように構成されている第１の接続論理と、並行サービス捕捉データベースにアクセスして、第１の基地局についての情報に基づいて、第２のＲＡＴを介してネットワークへのアクセスを提供する少なくとも第２の基地局についての情報を取得するように構成されているデータベース論理と、取得した情報を使用して、第２の基地局との接続を確立しようと試行するように構成されている第２の接続論理とを備えている。
【図面の簡単な説明】
【０００８】
本開示の上記に記載した特徴を詳細に理解できる方法で、上記では簡単にまとめられているさらに特定の説明を、実施形態に対する参照により得ることができるように、実施形態のうちのいくつかを、添付した図面中で示している。しかしながら、添付した図面は、この開示のある典型的な実施形態のみを示しており、それゆえ、その範囲を限定するものとして考えられるものではないことに留意すべきである。説明は、他の等しく有効な実施形態に適応できる余地があるためである。
【図１】図１は、本開示のある実施形態にしたがった、例示的なワイヤレス通信システムを示している。
【図２】図２は、本開示のある実施形態にしたがった、ワイヤレスデバイス中で利用されてもよいさまざまなコンポーネントを示している。
【図３】図３は、本開示のある実施形態にしたがった、直交周波数分割多重化および直交周波数分割多元接続（ＯＤＦＭ／ＯＦＤＭＡ）技術を利用するワイヤレス通信システム内で使用されてもよい、例示的な送信機および例示的な受信機を示している。
【図４】図４は、本開示のある実施形態にしたがった、３ＧネットワークカバレッジエリアにオーバーレイしているＷｉＭＡＸネットワークカバレッジエリアを持つネットワークトポロジーを示している。
【図５】図５は、アクセスして、第１の無線アクセス技術（ＲＡＴ）を介して並行してサービスを提供することが可能な現在の担当ＢＳについての情報を知ることにより、第２のＲＡＴを介してマルチモード移動局（ＭＳ）にネットワークサービスを提供している少なくとも１つの基地局（ＢＳ）についての情報を取得することができる、本開示のある実施形態にしたがった、並行サービス捕捉データベースを示している。
【図６】図６は、第１および第２のＲＡＴを介する並行ネットワークサービスをマルチモードＭＳに提供できるように、２つのＢＳとの接続を確立しようとして、並行サービス捕捉データベースを利用して、第１のＲＡＴを介してネットワークサービスを提供する第１のＢＳについての情報に基づいて、第２のＲＡＴを介してネットワークサービスを提供する少なくとも第２のＢＳについての情報を取得するための、本開示のある実施形態にしたがった、例示的な動作のフローダイヤグラムである。
【図６Ａ】図６Ａは、第１および第２のＲＡＴを介する並行ネットワークサービスをマルチモードＭＳに提供できるように、２つのＢＳとの接続を確立しようとして、並行サービス捕捉データベースを利用するための、本開示のある実施形態にしたがった、図６の例示的な動作に対応する手段のブロックダイヤグラムである。
【図７Ａ】図７Ａは、２つのＲＡＴ（例えば、３ＧおよびＷｉＭＡＸ）によって現在サービス提供されているロケーションから、１つのＲＡＴ（例えば、３Ｇ）によってのみサービス提供されているロケーションへとマルチモードＭＳが移動する、本開示のある実施形態にしたがった、移動性のシナリオを示している。
【図７Ｂ】図７Ｂは、１つのＲＡＴ（例えば、３Ｇ）によってのみ現在サービス提供されているロケーションから、２つのＲＡＴ（例えば、３ＧおよびＷｉＭＡＸ）によってサービス提供されているロケーションへと、マルチモードＭＳが移動する、本開示のある実施形態にしたがった、移動性のシナリオを示している。
【図８Ａ】図８Ａは、第２のＢＳに関係付けられているかもしれない、第１のＲＡＴを介して現在ネットワークサービスを提供している第１のＢＳについての情報を有する並行サービス捕捉データベースを利用することにより、第２のＲＡＴを介してマルチモードＭＳに並行ネットワークサービスを提供することができる第２のＢＳへの接続を回復しようと試行するための、本開示のある実施形態にしたがった、例示的な動作を示している。
【図８Ｂ】図８Ｂは、第２のＢＳに関係付けられているかもしれない、第１のＲＡＴを介して現在ネットワークサービスを提供している第１のＢＳについての情報を有する並行サービス捕捉データベースを利用することにより、第２のＲＡＴを介してマルチモードＭＳに並行ネットワークサービスを提供することができる第２のＢＳへの接続を回復しようと試行するための、本開示のある実施形態にしたがった、例示的な動作を示している。
【図８Ｃ】図８Ｃは、本開示のある実施形態にしたがった、第２のＲＡＴを介してマルチモードＭＳに並行ネットワークサービスを提供することができる第２のＢＳへの接続を回復しようと試行するための図８Ａの例示的な動作に対応する手段を示している。
【図８Ｄ】図８Ｄは、本開示のある実施形態にしたがった、第２のＲＡＴを介してマルチモードＭＳに並行ネットワークサービスを提供することができる第２のＢＳへの接続を回復しようと試行するための図８Ｂの例示的な動作に対応する手段を示している。
【図９】図９は、本開示のある実施形態にしたがった、カバレッジエリアを共有し、マルチモードＭＳに並行ネットワークサービスを提供することが可能な、２つの異なるＲＡＴに対するＢＳ情報の対の表である。
【図１０】図１０は、本開示のある実施形態にしたがった、図４のＷｉＭＡＸネットワークカバレッジエリアおよび３ＧネットワークカバレッジエリアにオーバーレイしているＷｉＦｉ（登録商標）ネットワークカバレッジエリアを持つネットワークトポロジーを示している。
【図１１】図１１は、本開示のある実施形態にしたがった、カバレッジエリアを共有し、マルチモードＭＳに並行ネットワークサービスを提供することが可能な、３つの異なるＲＡＴ（例えば、３Ｇ、ＷｉＭＡＸ、およびＷｉＦｉ）に対するＢＳ情報の対の表である。
【図１２】図１２は、マルチモードＭＳのグローバルポジショニングシステム（ＧＰＳ）座標を知ることにより、アクセスして、特定のＲＡＴを介してネットワークサービスを提供している少なくとも１つの基地局（ＢＳ）についての情報を取得することができる、本開示のある実施形態にしたがった、並行サービス捕捉データベースを示している。
【図１３】図１３は、本開示のある実施形態にしたがった、ネットワークサービスを提供している基地局のうちのいくつかに対するＧＰＳ座標を持つ、図７Ａおよび図７Ｂのネットワークトポロジーを示している。
【図１４】図１４は、本開示のある実施形態にしたがった、ＢＳ情報を決定してシステム捕捉を支援する別の手段として、図９のＢＳ情報の対の表にＧＰＳ座標を加えたものである。
【詳細な説明】
【０００９】
ある無線アクセス技術（ＲＡＴ）ネットワークからのネットワークトポロジーおよびカバレッジ情報を使用して、マルチモード移動局（ＭＳ）に対する別の異なるＲＡＴネットワークの捕捉を支援する方法および装置、例えば、３Ｇ（第３世代）ネットワークについてのトポロジーおよびカバレッジ情報に基づいて、ＷｉＭＡＸ（ワールドワイドインターオペラビリティフォーマイクロウェーブアクセス）ネットワークを捕捉し、および逆もまた同じである方法および装置が提供されている。この方法で支援される基地局（ＢＳ）捕捉は、以前に中断した、または、停止したネットワークサービスの迅速な復旧を提供することができる一方で、周期的なスキャニングおよび登録が生じる必要がないので、電力セービングモードの間、マルチモードＭＳの電力消費を減少させる。
【００１０】
例示的なワイヤレス通信システム
本開示の方法および装置は、ブロードバンドワイヤレス通信システム中で利用することができる。用語“ブロードバンドワイヤレス”は、所定のエリアにわたって、ワイヤレス、音声、インターネット、および／またはデータのネットワークアクセスを提供する技術のことを指す。
【００１１】
ＷｉＭＡＸは、ワールドワイドインターオペラビリティフォーマイクロウェーブアクセスを表し、長距離にわたって高スループットのブロードバンド接続を提供する、標準規格ベースのブロードバンドワイヤレス技術である。今日、ＷｉＭＡＸの２つの主要なアプリケーションがある：固定ＷｉＭＡＸとモバイルＷｉＭＡＸである。固定ＷｉＭＡＸアプリケーションは、ポイント・ツー・マルチポイントであり、例えば、家庭および企業へのブロードバンドアクセスを可能にする。モバイルＷｉＭＡＸは、ブロードバンド速度におけるセルラネットワークの完全な移動性を提案する。
【００１２】
モバイルＷｉＭＡＸは、ＯＦＤＭ（直交周波数分割多重化）技術およびＯＦＤＭＡ（直交周波数分割多元接続）技術に基づいている。ＯＦＤＭは、近年、さまざまな高データレート通信システムにおいて幅広い採用が判明している、デジタルマルチ搬送波変調技術である。ＯＦＤＭを用いると、送信ビットストリームは、複数のより低いレートのサブストリームに分割される。各サブストリームは、複数の直交副搬送波のうちの１つで変調され、複数のパラレルなサブチャネルのうちの１つを通して送られる。ＯＦＤＭＡは、異なるタイムスロット中で副搬送波をユーザに割り当てる多元接続技術である。ＯＦＤＭＡは、幅広く変化するアプリケーション、データレート、およびサービス品質要件を持つ多くのユーザに適応できる、柔軟な多元接続技術である。
【００１３】
ワイヤレスインターネットおよびワイヤレス通信における急激な成長は、ワイヤレス通信サービスの分野における、高データレートに対する増加する需要につながっている。ＯＦＤＭ／ＯＦＤＭＡシステムは今日、最も見込みのある研究エリアのうちの１つとして、および、次世代のワイヤレス通信のためのキー技術として考えられている。これは、ＯＦＤＭ／ＯＦＤＭＡ変調スキームが、旧来の単一搬送波変調スキームと比べて、変調効率、スペクトル効率、柔軟性および強力なマルチパス耐性のような、多くの利点を提供できるという事実に起因している。
【００１４】
ＩＥＥＥ８０２．１６ｘは、固定および移動のブロードバンドワイヤレスアクセス（ＢＷＡ）システムに対するエアインターフェースを規定するための新興標準規格団体である。これらの標準規格は少なくとも４つの異なる物理レイヤ（ＰＨＹ）および１つのメディアアクセス制御（ＭＡＣ）レイヤを定義する。４つの物理レイヤのうちのＯＦＤＭ物理レイヤおよびＯＦＤＭＡ物理レイヤは、それぞれ固定および移動のＢＷＡエリアにおいて最も普及している。
【００１５】
図１は、ワイヤレス通信システム１００の例を示している。ワイヤレス通信システム１００は、ブロードバンドワイヤレス通信システムであってもよい。ワイヤレス通信システム１００は、多数のセル１０２に対する通信を提供してもよく、それぞれのセル１０２は基地局１０４によりサービス提供される。基地局１０４は、ユーザ端末１０６と通信する固定局であってもよい。基地局１０４は代わりに、アクセスポイント、ノードＢまたは他の何らかの専門用語として呼ぶことがある。
【００１６】
図１は、システム１００全体にわたって分散しているさまざまなユーザ端末１０６を示している。ユーザ端末１０６は固定の（すなわち、静的な）ものまたは移動性のものであってもよい。ユーザ端末１０６は代わりに、遠隔局や、アクセス端末や、端末や、加入者ユニットや、移動局や、局や、ユーザ機器等として呼ぶことがある。ユーザ端末１０６は、セルラ電話機や、パーソナルデジタルアシスタント（ＰＤＡ）や、ハンドヘルドデバイスや、ワイヤレスモデムや、ラップトップコンピュータや、パーソナルコンピュータ（ＰＣ）等のような、ワイヤレスデバイスであってもよい。
【００１７】
ワイヤレス通信システム１００中における、基地局１０４とユーザ端末１０６との間の送信に対して、さまざまなアルゴリズムおよび方法を使用してもよい。例えば、ＯＦＤＭ／ＯＦＤＭＡ技術にしたがって、基地局１０４とユーザ端末１０６との間で、信号を送信および受信してもよい。このケースである場合、ワイヤレス通信システム１００はＯＦＤＭ／ＯＦＤＭＡシステムとして呼ぶことがある。
【００１８】
基地局１０４からユーザ端末１０６への送信を促進する通信リンクは、ダウンリンク１０８として呼び、ユーザ端末１０６から基地局１０４への送信を促進する通信リンクは、アップリンク１１０として呼ぶことがある。代わりに、ダウンリンク１０８は、フォワードリンクまたはフォワードチャネルとして呼び、アップリンク１１０は、リバースリンクまたはリバースチャネルとして呼ぶことがある。
【００１９】
セル１０２は複数のセクター１１２に分割されていてもよい。セクター１１２は、セル１０２内の物理的なカバレッジエリアである。ワイヤレス通信システム１００内の基地局１０４は、セル１０２の特定のセクター１１２内に電力フローを集中させるアンテナを利用してもよい。このようなアンテナは、指向性アンテナとして呼ぶことがある。
【００２０】
図２は、ワイヤレスデバイス２０２中で利用されてもよいさまざまなコンポーネントを示している。ワイヤレスデバイス２０２は、ここで説明するさまざまな方法を実現するように構成されているデバイスの例である。ワイヤレスデバイス２０２は、基地局１０４またはユーザ端末１０６であってもよい。
【００２１】
ワイヤレスデバイス２０２は、ワイヤレスデバイス２０２の動作を制御するプロセッサ２０４を具備していてもよい。プロセッサ２０４はまた、中央処理装置（ＣＰＵ）としても呼ぶこともある。リードオンリーメモリ（ＲＯＭ）とランダムアクセスメモリ（ＲＡＭ）との双方を含んでいてもよいメモリ２０６は、プロセッサ２０４に命令およびデータを提供する。メモリ２０６の一部分はまた、不揮発性ランダムアクセスメモリ（ＮＶＲＡＭ）を含んでいてもよい。プロセッサ２０４は、典型的に、メモリ２０６内に記憶されているプログラム命令に基づいた論理的動作および算術動作を実行する。メモリ２０６中の命令は、ここに説明する方法を実現するために実行可能であってもよい。
【００２２】
ワイヤレスデバイス２０２はまた、ワイヤレスデバイス２０２と遠隔ロケーションとの間のデータの送信および受信を可能にする送信機２１０および受信機２１２を備えていてもよいハウジング２０８を具備していてもよい。送信機２１０および受信機２１２は、組み合わせて、トランシーバ２１４にしてもよい。アンテナ２１６は、ハウジング２０８に取り付けられていてもよく、トランシーバ２１４に電気的に結合されていてもよい。ワイヤレスデバイス２０２はまた、（示していない）複数の送信機、複数の受信機、複数のトランシーバ、および／または、複数のアンテナを具備していてもよい。
【００２３】
ワイヤレスデバイス２０２はまた、トランシーバ２１４により受信した信号のレベルを検出して、定量化しようとして使用してもよい信号検出器２１８を具備していてもよい。信号検出器２１８は、このような信号を、総エネルギーや、パイロット副搬送波からのパイロットエネルギーまたはプリアンブルシンボルからの単一エネルギーや、電力スペクトル密度や、他の信号として検出してもよい。ワイヤレスデバイス２０２はまた、信号を処理する際に使用するためのデジタル信号プロセッサ（ＤＳＰ）２２０を具備していてもよい。
【００２４】
ワイヤレスデバイス２０２のさまざまなコンポーネントは、データバスに加えて、電力バスと、制御信号バスと、ステータス信号バスとを含んでもよいバスシステム２２２により互いに結合されていてもよい。
【００２５】
図３は、ＯＦＤＭ／ＯＦＤＭＡを利用するワイヤレス通信システム１００内で使用されてもよい送信機３０２の例を示している。送信機３０２の一部分は、ワイヤレスデバイス２０２の送信機２１０中で実現されてもよい。送信機３０２は、ダウンリンク１０８上でユーザ端末１０６にデータ３０６を送信するために、基地局１０４中で実現されてもよい。送信機３０２はまた、アップリンク１１０上で基地局１０４にデータ３０６を送信するために、ユーザ端末１０６中で実現されてもよい。
【００２６】
送信されることになるデータ３０６は、シリアルパラレル（Ｓ／Ｐ）コンバータ３０８への入力として提供されるように示している。Ｓ／Ｐコンバータ３０８は、送信データをＮ個のパラレルデータストリーム３１０に分ける。
【００２７】
Ｎ個のパラレルデータストリーム３１０はその後、マッパー３１２への入力として提供される。マッパー３１２は、Ｎ個のパラレルデータストリーム３１０をＮ個の配列点上にマッピングする。マッピングは、２位相シフトキーイング（ＢＰＳＫ）や、４位相シフトキーイング（ＱＰＳＫ）や、８位相シフトキーイング（８ＰＳＫ）や、直角位相振幅変調（ＱＡＭ）等のような、何らかの変調配列を使用してなされてもよい。したがって、マッパー３１２はＮ個のパラレルシンボルストリーム３１６を出力し、それぞれのシンボルストリーム３１６は、高速逆フーリエ変換（ＩＦＦＴ）３２０のＮ個の直交副搬送波のうちの１つに対応している。これらのＮ個のパラレルシンボルストリーム３１６は、周波数ドメインで表され、ＩＦＦＴコンポーネント３２０により、Ｎ個のパラレル時間ドメインサンプルストリーム３１８にコンバートされる。
【００２８】
ここで専門用語についての簡潔な注記を提供する。周波数ドメインにおけるＮ個のパラレル変調は、周波数ドメインにおけるＮ個の変調シンボルに等しく、周波数ドメインにおけるＮ個の変調シンボルは、周波数ドメインにおけるＮ個のマッピングおよびＮポイントＩＦＦＴに等しく、周波数ドメインにおけるＮ個のマッピングおよびＮポイントＩＦＦＴは、時間ドメインにおける１個の（有用な）ＯＦＤＭシンボルに等しく、時間ドメインにおける１個の（有用な）ＯＦＤＭシンボルは、時間ドメインにおけるＮ個のサンプルに等しい。時間ドメインにおける１個のＯＦＤＭシンボルＮsは、Ｎcp（ＯＦＤＭシンボル当たりのガードサンプルの数）＋Ｎ（ＯＦＤＭシンボル当たりの有用なサンプルの数）に等しい。
【００２９】
Ｎ個のパラレル時間ドメインサンプルストリーム３１８は、パラレルシリアル（Ｐ／Ｓ）コンバータ３２４により、ＯＦＤＭ／ＯＦＤＭＡシンボルストリーム３２２にコンバートされる。ガード挿入コンポーネント３２６は、ＯＦＤＭ／ＯＦＤＭＡシンボルストリーム３２２中の連続するＯＦＤＭ／ＯＦＤＭＡシンボル間にガードインターバルを挿入する。ガード挿入コンポーネント３２６の出力はその後、無線周波数（ＲＦ）フロントエンド３２８により、所望の送信周波数帯域にアップコンバートされる。アンテナ３３０はその後、結果として得られる信号３３２を送信する。
【００３０】
図３はまた、ＯＦＤＭ／ＯＦＤＭＡを利用するワイヤレス通信システム１００内で使用されてもよい受信機３０４の例を示している。受信機３０４の一部分は、ワイヤレスデバイス２０２の受信機２１２中で実現されてもよい。受信機３０４は、ダウンリンク１０８上で基地局１０４からデータ３０６を受信するために、ユーザ端末１０６中で実現されてもよい。受信機３０４はまた、アップリンク１１０上でユーザ端末１０６からデータ３０６を受信するために、基地局１０４中で実現されてもよい。
【００３１】
送信信号３２２は、ワイヤレスチャネル３３４を通して伝わるように示している。信号３３２’がアンテナ３３０’により受信されるとき、受信信号３３２’は、ＲＦフロントエンド３２８’によりベースバンド信号にダウンコンバートされる。ガード除去コンポーネント３２６’はその後、ガード挿入コンポーネント３２６によりＯＦＤＭ／ＯＦＤＭＡシンボル間に挿入されたガードインターバルを除去する。
【００３２】
ガード除去コンポーネント３２６’の出力は、Ｓ／Ｐコンバータ３２４’に提供される。Ｓ／Ｐコンバータ３２４’は、ＯＦＤＭ／ＯＦＤＭＡシンボルストリーム３２２’をＮ個のパラレル時間ドメインシンボルストリーム３１８’に分割する。それぞれのＮ個のパラレル時間ドメインシンボルストリーム３１８’は、Ｎ個の直交副搬送波のうちの１つに対応している。高速フーリエ変換（ＦＦＴ）コンポーネント３２０’は、Ｎ個のパラレル時間ドメインシンボルストリーム３１８’を周波数ドメインにコンバートし、Ｎ個のパラレル周波数ドメインシンボルストリーム３１６’を出力する。
【００３３】
デマッパー３１２’は、マッパー３１２により実行されたシンボルマッピング動作の逆を実行し、これにより、Ｎ個のパラレルデータストリーム３１０’を出力する。Ｐ／Ｓコンバータ３０８’はＮ個のパラレルデータストリーム３１０’を単一データストリーム３０６’に組み合わせる。理想的には、このデータストリーム３０６’は、送信機３０２への入力として提供されたデータ３０６に対応する。
【００３４】
複数のオーバーレイしているネットワークを持つ例示的なネットワークトポロジー
図４は、互いにオーバーレイしている２つの異なるネットワークシステム４１０、４２０を持ち、２つの異なる無線アクセス技術（ＲＡＴ）を介して、オーバーラップするネットワークカバレッジを提供するネットワークトポロジー４００を示している。例えば、１つのネットワークは、３Ｇ（第３世代の移動体電話機の標準規格および技術）システム４１０であってもよく、これは、ＥＶＤＯ（進化データオプティマイズド）と、１ｘＲＴＴ（１タイムズ無線送信技術、すなわち単に１ｘ）と、Ｗ−ＣＤＭＡ（ワイドバンドコード分割多元接続）と、ＵＭＴＳ−ＴＤＤ（ユニバーサルモバイルテレコミュニケーションシステム−時分割デュプレクス）と、ＨＳＰＡ（高速パケットアクセス）と、ＧＰＲＳ（一般パケット無線サービス）と、ＥＤＧＥ（グローバル進化に対する拡張データレート）とを含む、さまざまな３Ｇ ＲＡＴのうちの何らかの１つを介してネットワークサービスを提供することができる。３Ｇネットワーク４１０は、音声通話に加えて、高速インターネットアクセスとビデオ電話通信とを組み込むように進化したワイドエリアセルラ電話機ネットワークである。さらに、３Ｇネットワーク４１０は、他のネットワークシステムよりも確立されており、他のネットワークシステムよりも大きいカバレッジエリア４１２を提供することができる。３Ｇネットワークサービスは、各カバレッジエリア４１２中の３Ｇ基地局により提供される。
【００３５】
他のオーバーレイしているネットワークシステムは、例えば、（ＩＥＥＥ８０２．１１にしたがった）ＷｉＦｉネットワークシステムまたはＷｉＭＡＸネットワークシステム４２０のような高速データネットワークであってもよい。３Ｇネットワーク４１０に比べて、ＷｉＭＡＸネットワーク４２０が、高速データサービスに対して好まれることがあるが、３Ｇネットワーク４１０は、所望のサービス品質（ＱｏＳ）と利用可能な３Ｇ ＲＡＴとに依存して、高速データに対する十分な帯域幅を提供することができる。ＷｉＭＡＸネットワーク４２０は、３Ｇネットワーク４１０よりも確立されていないことがあり、図４で示しているような、より小さいカバレッジエリア４２２を提供することがある。ＷｉＭＡＸネットワークサービスは、各カバレッジエリア４２２中のＷｉＭＡＸ基地局により提供される。
【００３６】
マルチモード移動局（例えば、音声通話と、インターネットへのアクセスと、リアルタイムビデオとが可能なスマートフォン）では、さまざまなアプリケーションが、並行して複数のネットワークシステムにアクセスすることができる。例えば、多くのユーザは、音声通話や、ＳＭＳ（ショートメッセージサービス、すなわちテキストメッセージ）や、または他の低いデータレートのアプリケーションのために、３Ｇネットワーク４１０に同時に接続しながら、比較的ローカルな高速データホットスポット中でＷｉＭＡＸネットワーク４２０により提供される高速データサービスを使用するかもしれない。ユーザがこのようなホットスポットを離れる場合に、または、ある時間の間、ＷｉＭＡＸデータが何も送信されない場合に、高速データアプリケーションが一時的にサスペンドされることがあり、後に、ＷｉＭＡＸネットワークサービスがもう一度利用可能になったときに、場合によっては別のホットスポットロケーションにおいて、アプリケーションが回復することがある。
【００３７】
この移行の間に、例えば音声通話のような３Ｇアプリケーションは、音声通話またはＳＭＳに対するページングを待つために、３Ｇネットワーク４１０に接続し続けてもよい一方で、高速データサービスコンポーネントの少なくとも一部（例えば、マルチモードＭＳのＷｉＭＡＸモジュールまたは回路ブロック）は、電力、つまりバッテリー寿命をセーブするために電源が切られるかもしれない。しかしながら、このＷｉＭＡＸ電力セービング状態の間に、ＩＥＥＥ８０２．１６標準規格にしたがって周期的な登録が実行されることがあり、４１０、４２０双方のネットワークに登録したままであることにより、不必要に電力を消費するかもしれない。
【００３８】
調整されていない３ＧモジュールおよびＷｉＭＡＸモジュールを持つ移動体ワイヤレスデバイスに対して、ユーザは、電力をセーブし、スタンバイ時間を増加させようとして、ある時間において、ＷｉＭＡＸモジュールをシャットダウンすることを選ぶことがある。しかしながら、ユーザ制御のシャットダウンは、多数の問題を生じさせる。第１に、ユーザは、ＷｉＭＡＸモジュールの電源を入れる／切るために、時間のかかる手動の手段を取ることがある。第２に、ＷｉＭＡＸモジュールは、担当基地局のスキャニングおよび登録を要求して、新しくすることがある。第３に、マルチモードＭＳ上の内在データアプリケーションが、データ接続性を失うことがある。
【００３９】
したがって、必要とされているのは、電力消費を低く保ちながらも、マルチモードＭＳに対する高速接続を迅速に回復するための技術および装置である。
【００４０】
マルチモード移動局（ＭＳ）に対する例示的な支援された捕捉
図５は、並行サービス捕捉データベース５００を示している。並行サービス捕捉データベース５００にアクセスして、第１の無線アクセス技術（ＲＡＴ）を介して並行してサービスを提供することが可能な現在の担当ＢＳについての情報を知ることにより、第２のＲＡＴを介してマルチモードＭＳにネットワークサービスを提供することが可能な少なくとも１つのＢＳについての情報を取得することができる。データベース５００中の情報の記録（すなわち、並行サービス捕捉記録）は、ネットワークサービスプロバイダまたはデバイス製造者によりマルチモードＭＳに提供されてもよく、あるいは、デバイスの起動または後続する動作の間に、ネットワークによりマルチモードＭＳに送信されてもよく、あるいは、通常の動作の間に、マルチモードＭＳにより知られてもよい。
【００４１】
例えば、現在の３Ｇ基地局（ＢＳx）に対するカバレッジエリアの少なくとも一部にオーバーレイするネットワークサービスを提供する１つ以上のＷｉＭＡＸ基地局（ＢＳ0…n）に関する情報を持つ並行サービス捕捉記録を見つけようとして、現在ネットワークサービスを提供している特定の３Ｇ ＢＳxについての情報をデータベース５００に入力してもよい。もう一方では、現在のＷｉＭＡＸ基地局（ＢＳy）に対するカバレッジエリアの少なくとも一部にオーバーレイするネットワークサービスを提供する１つ以上のＢＳ基地局（ＢＳ0…m）に関する情報を持つ並行サービス捕捉記録を見つけようとして、現在ネットワークサービスを提供している特定のＷｉＭＡＸ ＢＳyについての情報をデータベース５００に入力してもよい。
【００４２】
図６は、第１および第２のＲＡＴを介する並行ネットワークサービスをマルチモードＭＳに提供することができるように、２つのＢＳとの接続を確立しようとして、並行サービス捕捉データベース５００を利用して、第１のＲＡＴを介してネットワークサービスを提供する第１のＢＳについての情報に基づいて、第２のＲＡＴを介してネットワークサービスを提供する少なくとも第２のＢＳについての情報を取得するための例示的な動作６００のフローダイヤグラムである。
【００４３】
動作６００は、第１の基地局との接続を確立して、第１のＲＡＴを介してネットワークにアクセスすることにより、６１０において開始する。例えば、第１のＢＳは、３Ｇネットワーク４１０中の３Ｇ ＢＳであってもよい。いったん接続が確立されると、システム識別番号（ＳＩＤ）、ネットワーク識別番号（ＮＩＤ）、および、パケットゾーン識別番号（ＰＺＩＤ）のような、第１のＢＳについての情報が、他の実施形態に対して決定されてもよい。
【００４４】
６２０において、第１のＢＳについての情報に基づいて、並行サービス捕捉データベース５００にアクセスして、第２のＲＡＴを介してネットワークへのアクセスを提供する少なくとも第２のＢＳについての情報を取得してもよい。例えば、データベース５００にアクセスして、現在の３Ｇ ＢＳに対するカバレッジエリアの少なくとも一部にオーバーレイするネットワークサービスを提供するＷｉＭＡＸネットワーク４２０中の１つ以上のＷｉＭＡＸ ＢＳについての情報を提供してもよい。いくつかの実施形態では、第１のＢＳ（例えば、現在の３Ｇ ＢＳ）に対する情報は、少なくとも第２のＢＳ（例えば、１つ以上のＷｉＭＡＸ ＢＳ）についての情報を含む１つ以上の並行サービス捕捉記録を示してもよい。ＷｉＭＡＸ ＢＳのケースでは、情報は、例えば、チャネル番号や、ネットワークアクセスプロバイダ（ＮＡＰ）や、ネットワークサービスプロバイダ（ＮＳＰ）や、および／または基地局識別番号（ＢＳＩＤ）を含んでいてもよい。
【００４５】
６３０において、マルチモードＭＳは、６２０において取得した情報を使用して、第２のＢＳとの接続を確立しようと試行してもよい。マルチモードＭＳは、第２のＢＳに対する情報を既に有しているので、第２のＢＳへのネットワークサービスを比較的迅速に捕捉することができる。その後、マルチモードＭＳは、例えば、３Ｇネットワーク４１０およびＷｉＭＡＸネットワーク４２０から並行ネットワークサービスを受信してもよい。この方法では、データベース５００が、スキャンと同じ情報（例えば、チャネル番号）を提供することができるので、マルチモードＭＳは、電力セービング状態の間に、第２のＢＳに対してスキャンする必要がない。
【００４６】
図７Ａは、オフィスまたは学校のような、２つのＲＡＴ（例えば、３ＧおよびＷｉＭＡＸ）によって現在サービス提供されているロケーションＸから、レストランや店のような、１つのＲＡＴ（例えば、３Ｇ）によってのみサービス提供されているロケーションＹへと、図４のネットワークトポロジー４００中でマルチモードＭＳ７００が移動する移動性シナリオを示している。示しているように、ロケーションＸにおいて３Ｇネットワークサービスを提供しているＢＳは、ＳＩＤ＝１、ＮＩＤ＝２、およびＰＺＩＤ＝２２２２を有していてもよく、ロケーションＸにおいてＷｉＭＡＸネットワークサービスを提供しているＢＳは、Ｃｈ＝２２、ＮＡＰ＝２２２、およびＮＳＰ＝１を有していてもよい。
【００４７】
ロケーションＹにはＷｉＭＡＸサービスがなく、そのため、ユーザは、ロケーションＸを離れる前に、マルチモードＭＳ７００上で動作している高速データアプリケーションを手動で終了させてもよい。別のシナリオでは、マルチモードＭＳ７００が、ＷｉＭＡＸネットワーク４２０の外側に移動し、ロケーションＹに向かう途中であるので、送られているＷｉＭＡＸデータがもはやないことを認識している際には、ＭＳ７００は、電力セービング状態（例えば、スリープモードまたはアイドルモード）に入ってもよく、部分的にまたは完全にＷｉＭＡＸモジュールの電源を切断してもよい。ロケーションＹにおいて、３Ｇネットワークサービスを提供しているＢＳは、ＳＩＤ＝１、ＮＩＤ＝４、およびＰＺＩＤ＝４４４４を有していてもよい。したがって、マルチモードＭＳ７００は、ロケーションＹにおいて、音声通話をかけたり受信したりすることができ、ＳＭＳを実行することができ、ならびに、他の低いデータレートのアプリケーションを使用することができるが、ＭＳ７００が、ＷｉＭＡＸを使用できない可能性は最も高くなるかもしれない。ロケーションＹにおける所望のＱｏＳおよび利用可能な３Ｇ ＲＡＴに依存して、マルチモードＭＳ７００は、何らかの高速データアプリケーションに対して３Ｇネットワーク４１０を使用できないことがある。
【００４８】
図７Ｂは、ロケーションＹから、家庭や、コーヒーショップや、またはインターネットカフェのような、２つのＲＡＴ（例えば、３ＧおよびＷｉＭＡＸ）によってサービス提供されているロケーションＺへと、マルチモードＭＳ７００が移動する移動性シナリオを示している。示しているように、ロケーションＺにおいて、３Ｇネットワークサービスを提供しているＢＳは、ＳＩＤ＝１、ＮＩＤ＝３、およびＰＺＩＤ＝３３３３を有していてもよく、ロケーションＺにおいて、ＷｉＭＡＸネットワークサービスを提供しているＢＳは、Ｃｈ＝３３、ＮＡＰ＝３３３、およびＮＳＰ＝１を有していてもよい。ロケーションＺにおいて、ＷｉＭＡＸサービスが利用可能なので、ユーザは、ロケーションＺに到達した際に、マルチモードＭＳ７００上で動作する高速データアプリケーションを手動で開始してもよい。マルチモードＭＳ７００は、パワーセービング状態を出て、ＷｉＭＡＸモジュールの電源投入してもよく、または、マルチモードＭＳ７００は、高速データアプリケーションを取り扱うために、最初にその３Ｇモジュールを使用しようと試行し、試行が失敗した場合に、ＷｉＭＡＸモジュールを用いてもよい。別のシナリオでは、ユーザが、３Ｇネットワーク４１０を使用して、ロケーションＹにおいて高速データアプリケーションを動作していた場合、マルチモードＭＳ７００がロケーションＹからロケーションＺへと移動するときに、ＭＳは３Ｇネットワークサービスを使用し続けてもよい。
【００４９】
図８Ａおよび図８Ｂは、第２のＢＳに関係付けられているかもしれない、第１のＲＡＴ（例えば、３Ｇ）を介して現在ネットワークサービスを提供している第１のＢＳについての情報を有する並行サービス捕捉データベース５００を利用することにより、第２のＲＡＴ（例えば、ＷｉＭＡＸ）を介してマルチモードＭＳ７００に並行ネットワークサービスを提供することができる第２のＢＳへの接続を回復しようと試行するための、本開示のある実施形態にしたがった、例示的な動作８００を示している。動作８００は、並行ネットワークとデータを交換している間のような、ＭＳが動作している間に、３Ｇネットワーク４１０およびＷｉＭＡＸネットワーク４２０に対するＢＳ情報を記録することにより、８０２において開始する。このＢＳ情報は、上記で説明したような、ＢＳＩＤ、ＳＩＤ、ＮＩＤ、チャネル番号、およびプリアンブルの一部を含んでいてもよい。８０２におけるアクティブな動作の間に、マルチモードＭＳ７００は、並行サービス捕捉データベース５００の並行サービス捕捉記録の中に、捕捉した３ＧおよびＷｉＭＡＸのシステム情報を対として記憶してもよい。
【００５０】
図９は、あるオーバーラップしているカバレッジエリア中で並行サービスを提供するこのようなＢＳ情報の対の例示的な表９００を示しており、ここで、それぞれの行は、並行サービス捕捉データベース５００中の記録として記憶される。表９００の列は、３Ｇセクション９０２とＷｉＭＡＸセクション９０４とにグループ分けされており、ここで、それぞれのセクションは、ある行に関係するカバレッジエリアに対して、その特定のネットワークサービスを提供しているＢＳに対する情報を含んでいる。３Ｇセクション９０２は、ＳＩＤ列９０６と、ＮＩＤ列９０８と、ＰＺＩＤ列９１０とを含んでいる。ＷｉＭＡＸセクション９０４は、チャネル番号列９１２と、ＮＡＰ列９１４と、ＮＳＰ列９１６とを含んでいる。表９００中のエントリは、図７Ａおよび図７ＢからのＢＳ情報に対応している。
【００５１】
３Ｇネットワーク４１０のカバレッジおよびネットワークトポロジーと、ＷｉＭＡＸネットワーク４２０のカバレッジおよびネットワークトポロジーとは異なっていることがあるので、３Ｇ ＢＳが、複数のＷｉＭＡＸ ＢＳに一致していることがあり、逆もまた同じである。例えば、ＳＩＤ＝１、ＮＩＤ＝２、ＰＺＩＤ＝２２２２を持つ３Ｇ基地局は、２つの記録に一致していてもよく、１つは、Ｃｈ＝２２、ＮＡＰ＝２２２、およびＮＳＰ＝１を有しており、もう１つは、Ｃｈ＝２３、ＮＡＰ＝２２３、およびＮＳＰ＝１を有している。複数の一致は、別のＲＡＴを使用する複数のＢＳにより提供されるカバレッジエリアの複数の部分にオーバーラップするカバレッジを、１つのＢＳが１つのＲＡＴを介して提供することを示している。
【００５２】
さらに、１つのＲＡＴを介するネットワークサービスが、別のＲＡＴにより提供されるカバレッジエリアから外れていることを示す空のエントリを、いくつかの行が、セクション９０２、９０４のうちの１つの中に有していてもよい。例えば、図７Ａならびに図７Ｂにおける、ＳＩＤ＝１、ＮＩＤ＝４、およびＰＺＩＤ＝４４４を持つ３Ｇ ＢＳは、特定のエリアに対する３Ｇカバレッジを提供するが、この３Ｇカバレッジエリア内にはＷｉＭＡＸカバレッジエリア４２２がない。それゆえ、ＷｉＭＡＸセクション９０４内の対応する記録（すなわち、表９００の最後の行）は空であってもよく、または、利用可能なＷｉＭＡＸネットワークサービスがこのエリア中にないことを示す値を含んでいてもよい。このエリア中で高速データアプリケーションを開始する場合に、マルチモードＭＳ７００は、ＷｉＭＡＸネットワークの不在を予測することができる。いくつかの実施形態に対して、マルチモードＭＳは、低速３Ｇネットワークに通話を向けてもよい。いくつかの実施形態に対する代替実施形態として、オペレータは、ＷｉＭＡＸの電源を入れるように、および、データベース５００を更新しようとして手動でスキャンするように、マルチモードＭＳに命令してもよい。
【００５３】
表９００中のそれぞれの並行サービス捕捉記録は、示されているようなタイムスタンプのための最終更新時間の列９１８を含んでいる。３Ｇネットワークのネットワークトポロジーおよびカバレッジ、あるいは、ＷｉＭＡＸネットワークのネットワークトポロジーおよびカバレッジは、時間とともに変化することがあり、タイムスタンプは、どのくらい最近に、ＢＳ情報の対が更新されたかを示すことができる。下記でより詳細に説明するように、並行サービス捕捉データベース５００からの、一致しているＢＳのリストを優先順位付けするときに、タイムスタンプを考慮してもよい。さらに、マルチモードＭＳ７００のメモリを節約しようとして、より古いエントリをデータベース５００から選択して削除するために、タイムスタンプを使用してもよい。
【００５４】
図５に関して上記で説明したように、並行サービス捕捉記録（すなわち、表９００中の行のエントリ）は、ネットワークサービスプロバイダまたはデバイス製造者によりマルチモードＭＳ７００に提供されてもよく、あるいは、デバイスの起動または後続する動作の間に、ネットワークによりマルチモードＭＳに送信されてもよく、あるいは、通常の動作の間に、マルチモードＭＳにより知られてもよい。８０２におけるように、データベース５００中のエントリが知られたときに、データベースは、ネットワークトポロジーまたはカバレッジにおける変化に適応してもよい。さらに、ユーザがマルチモードＭＳを動作させるカバレッジエリアに関連するエントリのみを記憶してもよく、それにより、領域全体に対して並行サービス捕捉記録を持つデータベースよりもメモリの使用が少なくなる。ユーザがこれらのエリア中でＭＳを使用し続けるときには、これらの知られたエントリが、時間にわたって改善される。
【００５５】
図８に戻ると、マルチモードＭＳ７００は、時間の期間の間、８０２において通常に動作し続けるかもしれない。８０４において、ＷｉＭＡＸデータが、マルチモードＭＳに対してもはや利用可能でないときに、または、高速データアプリケーションを終了したときに、または、マルチモードＭＳ７００が、ＷｉＭＡＸネットワークのカバレッジエリアから移動したときに（例えば、図７Ａにおけるように、ロケーションＸからロケーションＹへと移動したときに）、ＷｉＭＡＸモジュールは、電力をセーブしようとして、ＩＥＥＥ８０２．１６標準規格により規定されているようなスリープモードおよびアイドルモードに徐々に入ってもよい。あるアイドル時間の後に、マルチモードＭＳは、完全にまたは部分的にＷｉＭＡＸモジュールの電源を切断してもよい。部分的な電源切断では、メディアアクセス制御（ＭＡＣ）レイヤソフトウェアはサスペンドモードで動作することができ、ＲＦ回路の電源が切られるかもしれない。マルチモードＭＳは、依然として、メモリの周期的な低電力リフレッシュを実行することができる。完全な電源切断では、ハードウェアおよびＭＡＣソフトウェアの双方がシャットダウンされる。いったんＷｉＭＡＸモジュールの電源を切断すると、マルチモードＭＳ７００は、３Ｇのみの電力セーブモードを適宜使用して、３Ｇネットワークサービスによってのみ動作することができる。
【００５６】
８０６において、ＷｉＭＡＸデータが再び利用可能になったときに、または、同じ高速データアプリケーションが再起動されたときに、または、異なる高速データアプリケーションが開始されたときに、または、マルチモードＭＳ７００がＷｉＭＡＸネットワークのカバレッジエリア中に移動したときに（例えば、図７Ｂにおけるように、ロケーションＹからロケーションＺに移動したときに）、いくつかの実施形態に対して、マルチモードＭＳ７００は、最初にＷｉＭＡＸモジュールの電源を入れる。他の実施形態では、マルチモードＭＳは、ＷｉＭＡＸモジュールの電源を切断したままにしておくことによって電力をセーブしようとして、ＱｏＳおよび利用可能な３Ｇ ＲＡＴに依存して、３Ｇモジュールを通して高速データをルーティングしようと最初に試みる。この試行が失敗した場合に、８０６においてＷｉＭＡＸモジュールの電源投入してもよい。
【００５７】
８０８において、マルチモードＭＳ上で動作しているソフトウェアまたはファームウェアが、現在の担当３Ｇ ＢＳについての情報を取得してもよく、８１０において、この情報を、並行サービス捕捉データベース５００中の１つ以上の記録に一致させようと試行してもよい。８１２において、少なくとも１つの一致が見つかった場合に、マルチモードＭＳは、８１４において、一致したＷｉＭＡＸ ＢＳのリストをデータベース５００から生成してもよい。いくつかの実施形態に対して、データベース中で提供されている何らかの適切なエントリ（例えば、ＢＳ情報の対がいつ最終更新されたかというタイムスタンプ）と、ＭＳにより割り当てられているまたはデータベースに提供されている優先番号と、ＢＳの搬送波対干渉およびノイズ比（ＣＩＮＲ）と、ＢＳの受信信号強度インジケータ（ＲＳＳＩ）と、ＢＳに対する往復遅延（ＲＴＤ）とにしたがって、リストを優先順位付けすることができる。ＣＩＮＲ、ＲＳＳＩ、またはＲＴＤは、通常の動作の間に行われた以前の測定から知ることができる。他の実施形態に対して、一致したＷｉＭＡＸ ＢＳのこのリストは、ランダムに、または、記録が記憶された順序にしたがって、順序付けられてもよい。
【００５８】
８１４において、一致したＷｉＭＡＸ ＢＳのリストを生成した後に、マルチモードＭＳ７００は、一致したリスト中の最初のＷｉＭＡＸ ＢＳに対するＢＳ捕捉情報（例えば、チャネル番号、ＢＳＩＤ、およびＮＡＰ／ＮＳＰ ＩＤ）を８１６においてＷｉＭＡＸモジュールに提供してもよい。マルチモードＭＳが、この特定のＷｉＭＡＸ ＢＳを捕捉しない場合には、マルチモードＭＳは、一致したリスト中の次のＷｉＭＡＸ ＢＳに対するＢＳ捕捉情報をＷｉＭＡＸモジュールに提供してもよく、および、この新しいＢＳを捕捉しようと試みてもよい。このプロセスは、リストからのＷｉＭＡＸ ＢＳが捕捉されるか、または、リスト中のエントリがもはやなくなるかのいずれかまで続く。
【００５９】
この支援された方法において、マルチモードＭＳは、何らかの捕捉情報なしで、ゼロからＷｉＭＡＸ ＢＳに対してスキャンし、捕捉しなければならなかった場合よりも非常に迅速に、ＷｉＭＡＸ ＢＳに対するサービスを迅速に捕捉して回復することができる。さらに、この方法は、マルチモード優先ローミングリスト（ＰＲＬ）のような、ネットワーク上（すなわち、基地局サイド上）またはＭＳ上で調整された情報なしで、迅速な捕捉を提供する。いくつかの実施形態では、捕捉の速度を上げようとして、所定のＷｉＭＡＸ ＢＳに対する付加的なＷｉＭＡＸ関連パラメータ（例えば、ダウンリンクチャネル記述子（ＤＣＤ）、アップリンクチャネル記述子（ＵＣＤ）、および／またはセキュリティーキー）を８１６において記憶または提供してもよい。
【００６０】
８１８において、一致したＷｉＭＡＸ ＢＳのリストからＷｉＭＡＸ ＢＳを捕捉した場合に、マルチモードＭＳ７００は、８２０において、並行サービス捕捉記録を更新してもよい。例えば、新しいタイムスタンプまたは新しい優先番号によって記録を更新してもよい。ＢＳに対するＣＩＮＲ、ＲＳＳＩ、またはＲＴＤは、記録中であるいはＭＳの独立したメモリロケーション中で更新してもよい。この方法では、並行サービス捕捉データベース５００が、最新のまま保たれる。
【００６１】
いくつかの実施形態では、８１８においてＷｉＭＡＸ ＢＳを捕捉したか否かに関わらず、マルチモードＭＳ７００は、今のところまだ知られていないＷｉＭＡＸ ＢＳに対してスキャンしてもよい。スキャニングの間に新しいＷｉＭＡＸ ＢＳを発見した場合には、ＭＳは、それぞれの新しいＷｉＭＡＸ ＢＳと現在の担当３Ｇ ＢＳとに対するＢＳ情報の対を持つ新しい記録を、並行サービス捕捉データベース５００に加えてもよい。さらに、いったんＷｉＭＡＸ ＢＳを捕捉すると、マルチモードＭＳ７００は、例えば、近隣アドバタイズメント（ＭＯＢ＿ＮＢＲ−ＡＤＶ）メッセージ中で、新しく捕捉したＷｉＭＡＸ ＢＳから３Ｇ近隣ＢＳ情報および／またはＷｉＭＡＸ近隣ＢＳ情報を受信してもよい。以前に知られていなかった３Ｇおよび／またはＷｉＭＡＸの近隣ＢＳについての新しい情報を、新しく捕捉したＷｉＭＡＸ ＢＳからマルチモードＭＳが受信した場合に、ＭＳは、新しい情報によってデータベース５００を更新することができる。
【００６２】
８１２において、一致したＷｉＭＡＸ ＢＳが見つからなかった場合に、または、８１８において、マルチモードＭＳ７００がリストからＷｉＭＡＸ ＢＳを捕捉することに失敗した場合に、８２４において従来の捕捉方法を使用して、今のところまだ知られていないＷｉＭＡＸ ＢＳに対してスキャンして、場合によっては捕捉してもよい。新しいＷｉＭＡＸ ＢＳを発見して捕捉した場合に、新しいＷｉＭＡＸ ＢＳと現在の担当３Ｇ ＢＳとに対するＢＳ情報の対を持つ新しい記録を、データベース５００に加えてもよい。ある量の時間内にＷｉＭＡＸ ＢＳを何も捕捉しなかった場合に、ＭＳ７００は、この特定の３ＧカバレッジエリアにおいてＷｉＭＡＸカバレッジを見つけることができなかったことを示すために、既存のデータベース記録を更新してもよい。いったんＷｉＭＡＸ ＢＳが捕捉されていると、８２２において、マルチモードＭＳ７００とＷｉＭＡＸ ＢＳとの間でのデータ交換が再開する。動作８００は、８０２において繰り返されてもよい。
【００６３】
２つより多いＲＡＴによる例示的な支援された捕捉
（上記で説明した３ＧとＷｉＭＡＸとの組み合わせ以外の）さまざまな適切なＲＡＴのうちの何らかの２つにより提供されるサービスを持つネットワークに、および、２つより多いＲＡＴにより提供されるサービスを持つネットワークに、上記で説明した支援された捕捉のための技術を拡張してもよい。例えば、図１０は、図４のネットワークトポロジー４００にＷｉＦｉネットワーク１０３０を取り入れたネットワークトポロジー１０００を示している。示しているように、ＷｉＦｉネットワークカバレッジエリア１０３２は、３Ｇネットワークカバレッジエリア４１２およびＷｉＭＡＸネットワークカバレッジエリア４２２にオーバーレイしている。
【００６４】
３つ以上のＲＡＴを介する並行ネットワークサービスが可能なマルチモードＭＳでは、例えば、３Ｇおよび／またはＷｉＭＡＸのネットワークに加えて、ＷｉＦｉネットワークサービスや、他のワイヤレスローカルエリアネットワーク（ＷＬＡＮ）や、またはブルートゥース（登録商標）が利用可能であってもよい、ＷｉＦｉホットスポットのような特定のロケーションを考慮に入れるように並行サービス捕捉データベースを拡張してもよい。マルチモードＭＳは、ＷＬＡＮモジュールまたは回路ブロックの電源を入れて、利用可能なネットワークを利用し、ＷＬＡＮモジュールにデータをルーティングするか否かを選ぶことができる。
【００６５】
図１１は、いくつかのカバレッジエリアを共有し、マルチモードＭＳに並行ネットワークサービスを提供することができる、３つの異なるＲＡＴ（例えば、３Ｇ、ＷｉＭＡＸおよびＷｉＦｉ）に対するＢＳ情報の例示的な表１１００を示している。表１１００は、１つ以上の列のＷｉＦｉアクセスポイント情報を持つＷｉＦｉセクション１１０６を図９の例示的な表９００に加えたものである。示されているように、ＷｉＦｉセクション１１０６は、ＷｉＦｉチャネル番号の列１１０８と、サービスセット識別子（ＳＳＩＤ）、すなわちネットワーク名の列１１１０とを含んでいる。表１１００中のエントリは、図７Ａ、図７Ｂ、および図１０からのＢＳ情報に対応している。
【００６６】
３Ｇネットワーク４１０（または、ＷｉＭＡＸネットワーク４２０）のカバレッジおよびネットワークトポロジーとは異なっていることがあるので、３Ｇ ＢＳ（または、ＷｉＭＡＸ ＢＳ）が、複数のＷｉＦｉアクセスポイントに一致していることがあり、逆もまた同じである。例えば、ＳＩＤ＝１、ＮＩＤ＝２、およびＰＺＩＤ＝２２２２を持つ３Ｇ基地局は、異なるＷｉＭＡＸ ＢＳを持ち、ＷｉＦｉに対してはＣｈ＝６およびＳＳＩＤ＝“オフィス”を有する２つの記録と一致していてもよい。複数の一致は、別のＲＡＴを使用する複数のＢＳにより提供されるカバレッジエリアの複数の部分にオーバーラップするカバレッジを、１つのＢＳが１つのＲＡＴを介して提供することを示している。
【００６７】
繰り返しになるが、１つ以上のＲＡＴを介するネットワークサービスが、別のＲＡＴにより提供されるカバレッジエリアから外れていることを示す空のエントリを、いくつかの行が、セクション９０２、９０４、および１１０６のうちの１つの中に有していてもよい。例えば、図７Ａおよび図７Ｂ中の、ＳＩＤ＝１、ＮＩＤ＝４、およびＰＺＩＤ＝４４４を持つ３Ｇ ＢＳは、特定のエリアに対する３Ｇカバレッジを提供するが、この３Ｇカバレッジエリア内にはＷｉＦｉカバレッジエリア１０３２がない。それゆえ、ＷｉＦｉセクション１１０６内の対応する記録（すなわち、表１１００の最後の行）は空であってもよく、または、利用可能なＷｉＦｉネットワークサービスがこのエリア中にないことを示す値を含んでいてもよい。
【００６８】
ＧＰＳ座標を使用する例示的な支援された捕捉
さまざまなＲＡＴを介してサービスを提供する１つ以上のネットワークシステムの捕捉を支援するための別の方法は、マルチモードＭＳ７００のロケーションを使用して、このロケーションと、その記録がさまざまなＲＡＴに対するＢＳ情報を緯度座標および経度座標に一致させる並行サービス捕捉データベースとを比較することである。グローバルポジショニングシステム（ＧＰＳ）のようなロケーション決定技術と、並行サービス捕捉データベースとを利用することにより、マルチモードＭＳは、移動局の現在のロケーションに依存して、どの基地局が利用可能であるかを決定することができる。いくつかの実施形態に対して、マルチモードＭＳは、ロケーションを決定するために、ＧＰＳ受信機を備えていてもよい。他の実施形態では、マルチモードＭＳは、ＭＳにその座標を通信することが可能な別のデバイス（例えば、ラップトップコンピュータ、乗り物中のナビゲーションシステム、またはハンドヘルドＧＰＳ）から、位置座標を受信してもよい。
【００６９】
図１２は、並行サービス捕捉データベース１２００を示している。マルチモードＭＳ７００のＧＰＳ座標を知ることにより、並行サービス捕捉データベース１２００にアクセスして、特定のＲＡＴを介してネットワークサービスを提供している少なくとも１つのＢＳについての情報を取得することができる。例えば、現在のロケーションにおいて、または、現在のロケーションの近くで、ネットワークサービスを提供しているかもしれない１つ以上のＷｉＭＡＸ基地局（ＢＳ0…n）および／または１つ以上の３Ｇ基地局（ＢＳ0…m）に関する情報を持つ並行サービス捕捉記録を見つけようとして、マルチモードＭＳの現在のロケーションに対するＧＰＳ座標をデータベース１２００中に入力してもよい。データベース１２００中の並行サービス捕捉記録は、ネットワークサービスプロバイダまたはデバイス製造者により、マルチモードＭＳに提供されてもよく、あるいは、デバイスの起動または後続する動作の間に、ネットワークによりマルチモードＭＳに送信されてもよく、あるいは、通常の動作の間に、マルチモードＭＳにより知られてもよい。
【００７０】
図１３は、ネットワークサービスを提供している基地局のうちのいくつかに対するロケーション座標を持つ、図７Ａおよび図７Ｂのネットワークトポロジーを示している。例えば、ＳＩＤ＝１、ＮＩＤ＝４、およびＰＺＩＤ＝４４４４を有する３Ｇ ＢＳは、カリフォルニア州サンディエゴにある北緯３２度４３分４８秒、西経１１７度１０分１２秒に位置しているかもしれない。いくつかの実施形態では、基地局の座標を厳密に知ることができる一方で、他の実施形態に対しては、基地局の座標は、使用するデバイスに依存して、およそ３ｍから１００ｍの不確実なレンジングを有する商用グレードのＧＰＳデバイスにより決定することができる。本開示中で提供する例示的な座標は、説明の目的のためのものであり、特に、ネットワークカバレッジ中のオーバーラップが実現されている状況では、近隣の基地局間の実際の距離を正確に反映していないことがある。
【００７１】
図１４は、ＢＳ情報を決定してシステム捕捉を支援する別の手段として、図９のＢＳ情報の対の表９００にＧＰＳ座標セクション１４０２を加えた例示的な表１４００を示している。ＧＰＳ座標セクション１４０２は、記録中の基地局のうちの１つの、あるいは、これらの基地局のうちの１つまたは双方によりカバーされるエリアの、緯度および経度をそれぞれ提供する、緯度の列１４０４と経度の列１４０６とを含んでいてもよい。その現在のロケーションを知ることにより、マルチモードＭＳ７００は、表１４００中の行に類似する情報を有している記録を持つ並行サービス捕捉データベース１２００にアクセスすることができる。ＭＳ７００は、その現在のロケーションの近くにあるＧＰＳ座標を有している１つ以上の並行サービス捕捉記録を選択してもよい。マルチモードＭＳ上の論理は、距離計算アルゴリズムを使用してこの選択を実行してもよく、例えば、最も近くにあるｎ個の基地局を選ぶか、または、あるしきい値距離よりも近くにある基地局のすべてを選び取る。ここで、ｎは、予め定められた整数である。データベース１４００中でＢＳ情報を容易に利用可能にさせることにより、初期の登録に対してであろうと、または、セッション回復に対してであろうと、マルチモードＭＳは、ネットワークサービスのために迅速にＢＳを捕捉することができる。
【００７２】
上記で説明した方法のさまざまな動作は、図面で示しているミーンズプラスファンクションブロックに対応するさまざまなハードウェアならびに／あるいはソフトウェアのコンポーネントおよび／またはモジュールにより実行することができる。一般的に、対応し、相当するミーンズプラスファンクションの図面を有する図面において示している方法がある場合に、動作ブロックは、類似するナンバリングを持つミーンズプラスファンクションブロックに対応する。例えば、図６で示されているブロック６１０〜６３０は、図６Ａで示されているミーンズプラスファンクションブロック６１０Ａ〜６３０Ａに対応し、図８Ａおよび図８Ｂで示されているブロック８０２〜８２４は、図８Ｃおよび図８Ｄで示されているミーンズプラスファンクションブロック８０２Ａ〜８２４Ａに対応している。
【００７３】
ここで使用したように、用語“決定する”は、幅広いさまざまなアクションを含んでいる。例えば、“決定する”は、算出する、計算する、処理する、導出する、調べる、検索する（例えば、表、データベース、または別のデータ構造中において検索する）、確認する、およびこれらに類するものを含んでいてもよい。また、“決定する”は、受信する（例えば、情報を受信する）、アクセスする（例えば、メモリ中のデータにアクセスする）、およびこれらに類するものを含むことができる。また、“決定する”は、解決する、選択する、選ぶ、確立する、およびこれらに類するものを含んでいてもよい。
【００７４】
さまざまな異なる技術および技法の任意のものを使用して情報および信号を表してもよい。例えば、上記の説明全体を通して参照した、データ、命令、コマンド、情報、信号、およびこれらに類するものは、電圧、電流、電磁波、磁界または磁気の粒子、光学界または光の粒子、あるいはこれらの何らかの組み合わせにより、表してもよい。
【００７５】
本開示に関連して説明した、さまざまな例示的な論理的ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、ディスクリートゲートまたはトランジスタ論理、ディスクリートハードウェアコンポーネント、あるいは、ここで説明した機能を実行するように設計されたこれらの何らかの組み合わせで、実現あるいは実行されてもよい。汎用プロセッサはマイクロプロセッサであってもよいが、代替実施形態では、プロセッサは、商業的に入手可能な何らかのプロセッサ、制御装置、マイクロ制御装置、または状態機械であってもよい。プロセッサはまた、コンピューティングデバイスの組み合わせとして、例えば、ＤＳＰとマイクロプロセッサの組み合わせ、複数のマイクロプロセッサ、ＤＳＰコアを備えた１つ以上のマイクロプロセッサ、あるいは、このような構成の他の何らかのものとして実現してもよい。
【００７６】
本開示に関連して説明した方法またはアルゴリズムのステップは、ハードウェアで、１つ以上のプロセッサにより実行されるソフトウェアモジュールで、あるいは、２つを組み合わせたもので、直接的に具現化してもよい。ソフトウェアモジュールは、技術的に知られている何らかの形態の記憶媒体中に存在していてもよい。使用されることがある記憶媒体のいくつかの例には、ランダムアクセスメモリ（ＲＡＭ）、リードオンリーメモリ（ＲＯＭ）、フラッシュメモリ、ＥＰＲＯＭメモリ、ＥＥＰＲＯＭメモリ、レジスタ、ハードディスク、リムーブバルディスク、ＣＤ−ＲＯＭ等が含まれる。ソフトウェアモジュールは、単一の命令または多くの命令を含んでいてもよく、複数の異なるコードセグメントを通して、異なるプログラム間で、および複数の記憶媒体にわたって、分散されていてもよい。記憶媒体は、プロセッサが記憶媒体から情報を読み取り、記憶媒体に情報を書き込むことができるように、プロセッサに結合されている。代替実施形態では、記憶媒体はプロセッサに一体化していてもよい。
【００７７】
ここで開示した方法は、説明した方法を達成するための１つ以上のステップまたはアクションを含んでいる。方法のステップおよび／またはアクションは、特許請求の範囲から逸脱することなく、互いに交換可能であってもよい。言い換えると、ステップまたはアクションの特定の順序が指定されていない限り、特定のステップおよび／またはアクションの順序ならびに／あるいは使用は、特許請求の範囲から逸脱することなく、修正することができる。
【００７８】
説明した機能は、ハードウェアで、ソフトウェアで、ファームウェアで、または、これらのものを組み合わせた任意のもので実現してもよい。ソフトウェアで実現した場合、機能は、１つ以上の命令として、コンピュータ読取可能媒体上に記憶してもよい。記憶媒体は、コンピュータによりアクセスできる何らかの利用可能な媒体であってもよい。例として、これらに限定されないが、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、コンピュータによりアクセスでき、命令またはデータ構造の形態で所望のプログラムコードを運ぶまたは記憶するために使用できる他の何らかの媒体を含むことができる。ここで使用するようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。
【００７９】
ソフトウェアまたは命令は、送信媒体を介しても送信してもよい。例えば、ソフトウェアが、同軸ケーブルや、光ファイバケーブルや、撚り対や、デジタル加入者回線（ＤＳＬ）や、あるいは、赤外線、無線、およびマイクロ波のようなワイヤレス技術を使用して、ウェブサイト、サーバ、または他の遠隔ソースから送信される場合には、同軸ケーブル、光ファイバケーブル、撚り対、ＤＳＬ、あるいは、赤外線、無線、およびマイクロ波のようなワイヤレス技術は、送信媒体の定義に含まれる。
【００８０】
さらに、ここで説明した方法および技術を実行するためのモジュールおよび／または他の適切な手段が、適用可能なものとして、ユーザ端末および／または基地局によりダウンロードできるか、ならびに／あるいは、そうでなければ、ユーザ端末および／または基地局により取得できることを正しく認識すべきである。例えば、ここで説明した方法を実行するための手段の伝送を促進するために、このようなデバイスをサーバに結合することができる。代替的に、記憶装置手段（例えば、ＲＡＭ、ＲＯＭ、コンパクトディスク（ＣＤ）またはフロッピーディスクのような物理的な記憶媒体等）を介して、ここで説明したさまざまな方法を提供することができる。これにより、記憶装置手段をデバイスに結合すると、または、記憶装置手段をデバイスに提供すると、ユーザ端末および／または基地局が、さまざまな方法を取得できる。さらに、ここで説明した方法および技術をデバイスに提供するための他の何らかの適切な技術を利用することができる。
【００８１】
特許請求の範囲は、上記で示したまさにその構成およびコンポーネントに限定されるものではないことが理解される。さまざまな修正、変更、およびバリエーションが、上記で説明した方法および装置の構成、動作、および詳細において、特許請求の範囲から逸脱することなく行われてもよい。
以下に、本願出願の当初の特許請求の範囲に記載された発明を付記する。
［１］少なくとも第１および第２の無線アクセス技術（ＲＡＴ）を介して通信することが可能なマルチモード移動局（ＭＳ）によりネットワークにアクセスする方法において、
第１の基地局との接続を確立して、前記第１のＲＡＴを介して前記ネットワークにアクセスすることと、
並行サービス捕捉データベースにアクセスして、前記第１の基地局についての情報に基づいて、前記第２のＲＡＴを介して前記ネットワークへのアクセスを提供する少なくとも第２の基地局についての情報を取得することと、
前記取得した情報を使用して、前記第２の基地局との接続を確立しようと試行することとを含む方法。
［２］前記第１の基地局についての情報は、前記第１の基地局のグローバルポジショニングシステム（ＧＰＳ）座標、前記第２の基地局のＧＰＳ座標、または、前記第１および第２の基地局により提供されるネットワークサービスによってカバーされるロケーションのＧＰＳ座標を含む上記［１］記載の方法。
［３］前記並行サービス捕捉データベースにアクセスすることは、
前記第１および第２の基地局により提供される並行サービスを示す、前記データベースの記録にアクセスすることと、
前記記録が更新された最終時間を示す、前記記録中のタイムスタンプを調べることとを含む上記［１］記載の方法。
［４］前記記録中で取得した情報を使用して前記第２の基地局との前記接続の確立が成功したことを示すために、前記タイムスタンプを更新することをさらに含む上記［３］記載の方法。
［５］前記第２のＲＡＴを介してネットワークサービスを提供する未知の基地局に対してスキャニングすることと、
前記第１の基地局についての情報を持つ前記並行サービス捕捉データベースに対して、前記未知の基地局についての情報を加えることとをさらに含む上記［１］記載の方法。
［６］前記並行サービス捕捉データベースにアクセスして、前記第１の基地局または前記第２の基地局についての情報に基づいて、第３のＲＡＴを介して前記ネットワークへのアクセスを提供する少なくとも第３の基地局についての情報を取得することと、
前記取得した情報を使用して、前記第３の基地局との接続を確立しようと試行することとをさらに含み、
前記マルチモードＭＳは、前記第１、第２、および第３のＲＡＴを介して通信することが可能である上記［１］記載の方法。
［７］前記第１のＲＡＴは、ＣＤＭＡ（コード分割多元接続）ベースのＲＡＴを含む上記［１］記載の方法。
［８］前記第２のＲＡＴは、ＷｉＭＡＸ（ワールドワイドインターオペラビリティフォーマイクロウェーブアクセス）準拠のＲＡＴを含む上記［２］記載の方法。
［９］その上に命令を記憶させているコンピュータ読取可能媒体を具備し、少なくとも第１および第２の無線アクセス技術（ＲＡＴ）を介して通信することが可能なマルチモード移動局（ＭＳ）によりネットワークにアクセスするためのコンピュータプログラムプロダクトにおいて、
前記命令は、１つ以上のプロセッサにより実行可能であり、
前記命令は、
第１の基地局との接続を確立して、前記第１のＲＡＴを介して前記ネットワークにアクセスするための命令と、
並行サービス捕捉データベースにアクセスして、前記第１の基地局についての情報に基づいて、前記第２のＲＡＴを介して前記ネットワークへのアクセスを提供する少なくとも第２の基地局についての情報を取得するための命令と、
前記取得した情報を使用して、前記第２の基地局との接続を確立しようと試行するための命令とを含むコンピュータプログラムプロダクト。
［１０］前記第１の基地局についての情報は、前記第１の基地局のグローバルポジショニングシステム（ＧＰＳ）座標、前記第２の基地局のＧＰＳ座標、または、前記第１および第２の基地局により提供されるネットワークサービスによってカバーされるロケーションのＧＰＳ座標を含む上記［９］記載のコンピュータプログラムプロダクト。
［１１］前記並行サービス捕捉データベースにアクセスするための命令は、
前記第１および第２の基地局により提供される並行サービスを示す、前記データベースの記録にアクセスするための命令と、
前記記録が更新された最終時間を示す、前記記録中のタイムスタンプを調べるための命令とを含む上記［９］記載のコンピュータプログラムプロダクト。
［１２］前記記録中で取得した情報を使用して前記第２の基地局との前記接続の確立が成功したことを示すために、前記タイムスタンプを更新するための命令をさらに含む上記［１１］記載のコンピュータプログラムプロダクト。
［１３］前記第２のＲＡＴを介してネットワークサービスを提供する未知の基地局に対してスキャニングするための命令と、
前記第１の基地局についての情報を持つ前記並行サービス捕捉データベースに対して、前記未知の基地局についての情報を加えるための命令とをさらに含む上記［９］記載のコンピュータプログラムプロダクト。
［１４］前記並行サービス捕捉データベースにアクセスして、前記第１の基地局または前記第２の基地局についての情報に基づいて、第３のＲＡＴを介して前記ネットワークへのアクセスを提供する少なくとも第３の基地局についての情報を取得するための命令と、
前記取得した情報を使用して、前記第３の基地局との接続を確立しようと試行するための命令とをさらに含み、
前記マルチモードＭＳは、前記第１、第２、および第３のＲＡＴを介して通信することが可能である上記［９］記載のコンピュータプログラムプロダクト。
［１５］前記第１のＲＡＴは、ＣＤＭＡ（コード分割多元接続）ベースのＲＡＴを含む上記［９］記載のコンピュータプログラムプロダクト。
［１６］前記第２のＲＡＴは、ＷｉＭＡＸ（ワールドワイドインターオペラビリティフォーマイクロウェーブアクセス）準拠のＲＡＴを含む上記［１５］記載のコンピュータプログラムプロダクト。
［１７］少なくとも第１および第２の無線アクセス技術（ＲＡＴ）を介して通信することが可能であり、ネットワークにアクセスする装置において、
第１の基地局との接続を確立して、前記第１のＲＡＴを介して前記ネットワークにアクセスする手段と、
並行サービス捕捉データベースにアクセスして、前記第１の基地局についての情報に基づいて、前記第２のＲＡＴを介して前記ネットワークへのアクセスを提供する少なくとも第２の基地局についての情報を取得する手段と、
前記取得した情報を使用して、前記第２の基地局との接続を確立しようと試行する手段とを具備する装置。
［１８］前記第１の基地局についての情報は、前記第１の基地局のグローバルポジショニングシステム（ＧＰＳ）座標、前記第２の基地局のＧＰＳ座標、または、前記第１および第２の基地局により提供されるネットワークサービスによってカバーされるロケーションのＧＰＳ座標を含む上記［１７］記載の装置。
［１９］前記並行サービス捕捉データベースにアクセスする手段は、
前記第１および第２の基地局により提供される並行サービスを示す、前記データベースの記録にアクセスする手段と、
前記記録が更新された最終時間を示す、前記記録中のタイムスタンプを調べる手段とを備える上記［１７］記載の装置。
［２０］前記記録中で取得した情報を使用して前記第２の基地局との前記接続の確立が成功したことを示すために、前記タイムスタンプを更新する手段をさらに具備する上記［１９］記載の装置。
［２１］前記第２のＲＡＴを介してネットワークサービスを提供する未知の基地局に対してスキャニングする手段と、
前記第１の基地局についての情報を持つ前記並行サービス捕捉データベースに対して、前記未知の基地局についての情報を加える手段とをさらに具備する上記［１７］記載の装置。
［２２］前記並行サービス捕捉データベースにアクセスして、前記第１の基地局または前記第２の基地局についての情報に基づいて、第３のＲＡＴを介して前記ネットワークへのアクセスを提供する少なくとも第３の基地局についての情報を取得する手段と、
前記取得した情報を使用して、前記第３の基地局との接続を確立しようと試行する手段とをさらに具備し、
前記装置は、前記第１、第２、および第３のＲＡＴを介して通信することが可能である上記［１７］記載の装置。
［２３］前記第１のＲＡＴは、ＣＤＭＡ（コード分割多元接続）ベースのＲＡＴを含む上記［１７］記載の装置。
［２４］前記第２のＲＡＴは、ＷｉＭＡＸ（ワールドワイドインターオペラビリティフォーマイクロウェーブアクセス）準拠のＲＡＴを含む上記［２３］記載の装置。
［２５］少なくとも第１および第２の無線アクセス技術（ＲＡＴ）を介して通信することが可能であり、ネットワークにアクセスするマルチモード移動体デバイスにおいて、
第１の基地局との接続を確立して、前記第１のＲＡＴを介して前記ネットワークにアクセスするように構成されている第１の接続論理と、
並行サービス捕捉データベースにアクセスして、前記第１の基地局についての情報に基づいて、前記第２のＲＡＴを介して前記ネットワークへのアクセスを提供する少なくとも第２の基地局についての情報を取得するように構成されているデータベース論理と、
前記取得した情報を使用して、前記第２の基地局との接続を確立しようと試行するように構成されている第２の接続論理とを具備するマルチモード移動体デバイス。
［２６］前記第１の基地局についての情報は、前記第１の基地局のグローバルポジショニングシステム（ＧＰＳ）座標、前記第２の基地局のＧＰＳ座標、または、前記第１および第２の基地局により提供されるネットワークサービスによってカバーされるロケーションのＧＰＳ座標を含む上記［２５］記載の移動体デバイス。
［２７］前記データベース論理は、
前記第１および第２の基地局により提供される並行サービスを示す、前記データベースの記録にアクセスするようにと、
前記記録が更新された最終時間を示す、前記記録中のタイムスタンプを調べるように構成されている上記［２５］記載の移動体デバイス。
［２８］前記データベース論理は、前記記録中で取得した情報を使用して前記第２の基地局との前記接続の確立が成功したことを示すために、前記タイムスタンプを更新するように構成されている上記［２７］記載の移動体デバイス。
［２９］前記第２のＲＡＴを介してネットワークサービスを提供する未知の基地局に対してスキャンするように構成されているスキャニング論理をさらに具備し、
前記データベース論理は、前記第１の基地局についての情報を持つ前記並行サービス捕捉データベースに対して、前記未知の基地局についての情報を加えるように構成されている上記［２５］記載の移動体デバイス。
［３０］第３の接続論理をさらに具備し、
前記データベース論理は、前記並行サービス捕捉データベースにアクセスして、前記第１の基地局または前記第２の基地局についての情報に基づいて、第３のＲＡＴを介して前記ネットワークへのアクセスを提供する少なくとも第３の基地局についての情報を取得するように構成されており、
前記マルチモード移動体デバイスは、前記第１、第２、および第３のＲＡＴを介して通信することが可能であり、
前記第３の接続論理は、前記少なくとも第３の基地局についての前記取得した情報を使用して、前記第３の基地局との接続を確立しようと試行するように構成されている上記［２５］記載の移動体デバイス。
［３１］前記第１のＲＡＴは、ＣＤＭＡ（コード分割多元接続）ベースのＲＡＴを含む上記［２５］記載の移動体デバイス。
［３２］前記第２のＲＡＴは、ＷｉＭＡＸ（ワールドワイドインターオペラビリティフォーマイクロウェーブアクセス）準拠のＲＡＴを含む上記［３１］記載の移動体デバイス。
【図１】
0005237456.tif 000002
【図２】
0005237456.tif 000003
【図３】
0005237456.tif 000004
【図４】
0005237456.tif 000005
【図５】
0005237456.tif 000006
【図６】
0005237456.tif 000007
【図６Ａ】
0005237456.tif 000008
【図７Ａ】
0005237456.tif 000009
【図７Ｂ】
0005237456.tif 000010
【図８Ａ】
0005237456.tif 000011
【図８Ｂ】
0005237456.tif 000012
【図８Ｃ】
0005237456.tif 000013
【図８Ｄ】
0005237456.tif 000014
【図９】
0005237456.tif 000015
【図１０】
0005237456.tif 000016
【図１１】
0005237456.tif 000017
【図１２】
0005237456.tif 000018
【図１３】
0005237456.tif 000019
【図１４】
0005237456.tif 000020